Podtech/llm-jp-corpus-v4-ja_patent huggingface dataset:
(57)【要約】      （修正有）【課題】誰が製作しても同様な形状を簡単に、しかも短時間で製作可能とする造花製作用型を提供する。【解決手段】花、木の葉に対応した形状に切削した木製または樹脂製の基材２の表面側に、葉の葉脈に対応するブリッジ３を、少なくとも１個形成させる。または、基材２の形状を花の花弁に対応する形状とし、基材２の表面側に、花弁に表出する筋模様に対応するブリッジ３を、少なくとも１個形成させる。【選択図】図１
0003179122.tif 000002
【実用新案登録請求の範囲】
【請求項１】
花、木の葉に対応する形状に切削した木製または樹脂製の基材の表面側に、葉の葉脈に対応するブリッジを、少なくとも一個形成させたこと特徴とする造花製作用型。
【請求項２】
基材の形状を花の花弁に対応する形状とし、基材の表面側に、花弁に表出する筋模様に対応するブリッジを、少なくとも１個形成させたこと特徴とする請求項１記載の造花製作用型。
【考案の詳細な説明】
【技術分野】
【０００１】  この考案は、造花を製作するための型に関する。
【背景技術】
【０００２】  従来、アメリカンフラワー、ディップフラワー等の造花の枠部材を製作するには、手作業により針金、ワイヤー等の線材を所定形状に製作者の感性により折り曲げ、成形し、ディップ液に浸漬させ、薄膜を形成し、その後乾燥させ、この薄膜を形成させた種々の枠部材をそれぞれ接着することにより、造花を製作していた（特許文献１参照）。
【先行技術文献】
【特許文献】
【０００３】
【特許文献１】特許第３２５３１３９号公報
【考案の概要】
【考案が解決しようとする課題】
【０００４】  しかしながら、造花の枠部材を手作業により成形するため、形状にバラツキが生じることが問題であった。
【課題を解決するための手段】
【０００５】  この考案は、このような問題を解決するためになされたものであり、その目的とするところは、誰が製作しても同様な形状を簡単に、しかも短時間で製作可能とすることにある。
【考案の効果】
【０００６】  この考案は、花、木の葉、花弁に対応する形状に切削した木製または樹脂製の基材の表面側に、葉の葉脈、花弁の筋模様に対応するブリッジを、少なくとも１個形成させてあるため、枠材となるワイヤーを、型の外周およびブリッジに対応させて巻付けながら折曲げることにより、老若男女を問わず誰が製作しても、簡単に同一形状に製作することができる利点がある。【０００７】  また、製作時間を大幅に短縮することができる。【０００８】  さらに、製作が困難であった複雑な形状でも容易に製作することができる。
【図面の簡単な説明】
【０００９】
【図１】本考案の一実施例を示す斜視図である。
【図２】別の例を示す斜視図である。
【考案を実施するための形態】
【００１０】  本考案は、誰が製作しても同様な形状を簡単に、しかも短時間で製作する目的を、花、木の葉、花弁に対応する形状に切削した木製または樹脂製の基材の表面側に、葉の葉脈、花弁の筋模様に対応するブリッジを、少なくとも１個形成させること、により実現させた。
【実施例１】
【００１１】  この考案の一実施形態を、図１に示す。【００１２】  本例を、図１を参照して説明する。【００１３】  本考案に係る造花製作用型１は、花、木の葉に対応する形状に切削した木製の基材２の表面側に、葉の葉脈に対応するブリッジ３を、複数形成してある。【００１４】  この造花製作用型１の外周にワイヤーＷを巻付けながら折曲げ、一端で捩じり止め、次いでブリッジ３内に別のワイヤーＷを差込み、その両端部を外周に巻付けたワイヤーＷと接着する。【００１５】  本例において、ワイヤーＷは素材そのものを使用するため、その色彩は素材色のままである。【００１６】  次に、このワイヤーＷにて製作した枠材を、ディップ液に浸漬させ、薄膜を形成し、その後乾燥させ、この薄膜を形成させた種々の枠材をそれぞれ接着することにより、造花を製作する。
【実施例２】
【００１７】  図２に別の実施形態が示してある。【００１８】  本例は、実施例１の基材２の形状を花（ラッパ水仙）の花弁の形状に切削したものであり、基材２の外周面に、花弁に表出する筋模様に対応するブリッジ３を、複数形成してある。【００１９】  本例の使用方法は前記実施例１と同様であるため、説明は省略する。【００２０】  なお、両例において、基材２は木製であるが、樹脂製その他の素材とすることは自明である。【００２１】  また、ブリッジ３の形成個数は複数であるが、少なくとも１個以上であればよい。【００２２】  また、ワイヤーＷは素材色をそのまま使用しているが、彩色を施し、異なる色のワイヤーＷを複数使用することにより、独特な色彩効果を奏することは自明である。【００２３】  また、ワイヤーＷにビーズを挿入させることにより、美感効果を奏することは自明である。【００２４】  以上本考案の実施例について説明したが、本考案はこのような実施例に何等限定されるものでなく、本考案の要旨を逸脱しない範囲において種々なる態様で実施し得ることはもちろんである。
【産業上の利用可能性】
【００２５】  この考案は、造花を製作するために開発したものであるが、各種アクセサリー、室内装飾品の製作等の用途にも適用できる。
【符号の説明】
【００２６】  １  型
２  基材
３  ブリッジ
Ｗ  ワイヤー
【図１】
0003179122.tif 000003
【図２】
0003179122.tif 000004
(57)【要約】      （修正有）【課題】スムースな昇降を可能にするマネキン用昇降スタンドを提供する。【解決手段】マネキン用昇降スタンド１は、尖頭にマネキン人形支持手段６を有するマネキン人形支持杆５を、昇降自在に嵌合保持してなる柱状管体４内に、定荷重バネをマネキン人形支持杆５と柱状管体４との間に架け渡し配してなる。【選択図】図１
0003179172.tif 000002
【実用新案登録請求の範囲】
【請求項１】
尖頭にマネキン人形支持手段を有するマネキン人形支持杆を、昇降自在に嵌合保持してなる柱状管体内に、定荷重バネをマネキン人形支持杆と柱状管体との間に架け渡し配したことを特徴とするマネキン用昇降スタンド。
【考案の詳細な説明】
【技術分野】
【０００１】
本考案は、マネキンの腰部を固定して支え、かつ、着衣の交換等を行う際にも、重量のあるマネキンを容易に持ち上げ、或は所定位置に置くことの出来るスタンドに関するものである。
【背景技術】
【０００２】
従来マネキン人形は、立姿勢の人形を基台上に固定した状態（特許文献１）で展示使用されていたが、衣装を取り替える際の作業が困難なため、その操作を容易にする目的で、マネキン人形の支持手段を変更し、マネキン人形をその腰部付近に設けた支持部材で支持し、該支持部材をマネキンスタンドに添って適宜スプリング等で付勢して上下動して位置決めする（特許文献２）腰吊り式の支持様式が行われるようになった。
【０００３】
然し、上記腰吊り式の場合、スタンド内のコイル式のスプリング等によってマネキンを持ち上げる際は、バネ力の利用によって苦労せず持ち上げ得るが、逆に下降させるときは前記バネ力に逆らってバネを押し下げる方向に力を加えることになるため困難性が増加した。
【先行技術文献】
【特許文献】
【０００４】
【特許文献１】実公昭１４−１６４２５号公報
【特許文献２】特開２００７−２８２８５８号公報
【考案の概要】
【考案が解決しようとする課題】
【０００５】
本考案は前記の点に鑑みて、従来装置がマネキンの高さを決めるバネを押さえつける作業に力を要したのを改良し、本考案はマネキンの上下動に伴う差を解消し、上下動同様なスムースな昇降を可能にすることを目的とする。
【課題を解決するための手段】
【０００６】
本考案マネキン用昇降スタンドは、尖頭にマネキン人形支持手段を有するマネキン人形支持杆を、昇降自在に嵌合保持してなる柱状管体内に、定荷重バネをマネキン人形支持杆と柱状管体との間に架け渡し配してなる。
【考案の効果】
【０００７】
マネキン人形の位置を高く或は低く保つため人形を上下動させる際、その操作をするためマネキンに加える上又は下方向の押圧力が少ない力で済むことになり、例えば、８kg相当の重量のあるマネキンを誰でもが片手だけでスムースな昇降を可能にし、労力の低減を図れる。
【０００８】
マネキン人形を支持スタンドから取り外す際に、マネキンの取り外しに連動して支柱がスプリングの弾発力に応じて上昇して来るので、マネキンの取り外しにより突然の支柱の飛び出しがなく安全性の向上に寄与することになる。
【図面の簡単な説明】
【０００９】
【図１】図１は、本考案マネキン用昇降スタンドの側面図。
【図２】図２は、マネキン人形を支持した状態の側面図。
【図３】図３は、柱状管体の縦断側面図。
【図４】図４は、定荷重バネ部分の正面図。
【考案を実施するための形態】
【００１０】
本考案マネキン用昇降スタンドの実施の一例を図面と共に次に説明する。
マネキン用昇降スタンド１は、図１にその全体を、図２にマネキン人形２を支持した状態を示したように、台盤３に起立した柱状管体４に昇降自在に挿嵌したマネキン人形支持杆５の尖頭に設けたマネキン人形支持手段６を、マネキン人形２に挿し込むことによりマネキン人形２を支持している。
【００１１】
マネキン人形支持杆５は、柱状管体４内の上下２個所に設けられた樹脂ブロックよりなる上下のガイド部材７，８により柱状管体４内を上下に移動可能に支持されている。上下ガイド部材７と下部ガイド部材８とは内臓パイプ９により、その間隔を一定に保って支持されている。
【００１２】
マネキン人形支持杆５の下端には定荷重バネ（コンストンバネ）１０ａ，１０ｂ，１０ｃがコ字形フレーム１１によって支持されている。定荷重バネ１０は、板バネを渦巻状に軸に巻き付け、巻きつけ端部を下部ガイド部材８に止着している。図示の例では、３個の定荷重バネ１０ａ，１０ｂ，１０ｃがコ字形フレーム１１に支持され各バネ１０ａ，１０ｂ，１０ｃの巻き端部が、ガイド部材８にピン１２で固定されている。定荷重バネ１０ｃの軸には更にガイドロール１３が設けられ、マネキン人形支持杆５が柱状管体４内を上下動する際に、コ字状フレーム１２，ガイド部材８等がスムースに移動出来るようにしている。
【００１３】
本考案マネキン用昇降スタンド１は、マネキン人形２の重量を支えるマネキン人形支持杆５を、定荷重バネ１０を用いて支えているために、着せ替え等の作業を行う者にとって、マネキン人形を支える力は不要となり作業を有効に行える。
【産業上の利用可能性】
【００１４】
本考案スタンドは、マネキン人形の着せ替え時等に、マネキン人形の高さ位置を作業し易い位置に任意に力を要さず変更し得るものであり、マネキン人形に代え、例えば工作台等を支持することが出来るようにすれば重量のある被加工物を適宜その高さを変更して処理することを容易に行える作業台とする事が可能である。また、重量と異なる、或は高さの異なる展示品を頻繁に変更する展示台などに応用することも可能である。
【符号の説明】
【００１５】
１  マネキン用昇降スタンド
２  マネキン人形
３  台盤
４  柱状管体
５  マネキン人形支持杆
６  マネキン人形支持手段
７  上部ガイド部材
８  下部ガイド部材
９  内臓パイプ
１０ａ，１０ｂ，１０ｃ  定荷重バネ（コンストンバネ）
１１  コ字形フレーム
１２  ピン
１３  ガイドロール 
【図１】
0003179172.tif 000003
【図２】
0003179172.tif 000004
【図３】
0003179172.tif 000005
【図４】
0003179172.tif 000006
(57)【要約】      （修正有）【課題】温度上昇の立ち上がりが早く、速熱性に優れ、しかも希望する一定の温度確保、維持にも安定的で、温度低下も早く、速冷性に優れ、確実に保持、固定できる電気発熱体を提供する。【解決手段】非導電性材料の円柱状芯棒２の外表面に導電性金属材料で長さＬと幅Ｈと厚みＭとを有した帯状ヒータ３を巻回してなる電気発熱体１に於いて、上記帯状ヒータ３は、厚みＭ側を円柱状芯棒２の外表面に当接しつつ幅Ｈ側を立設させ、螺旋状に間隔を隔てて巻回してなる構成としている。又、帯状ヒータ３は、その表裏面の長手方向に波形状又は凹凸状を交互に配設してなる構成としている。【選択図】図３
0003179901.tif 000002
【実用新案登録請求の範囲】
【請求項１】
非導電性材料の円柱状芯棒（２）の外表面に導電性金属材料で長さ（Ｌ）と幅（Ｈ）と厚み（Ｍ）とを有した帯状ヒータ（３）を巻回してなる電気発熱体（１）に於いて、上記帯状ヒータ（３）は、厚み（Ｍ）側を円柱状芯棒（２）の外表面に当接しつつ幅（Ｈ）側を立設させ、螺旋状に間隔を隔てて巻回したことを特徴とする電気発熱体。
【請求項２】
上記帯状ヒータ（３）は、その表裏面の長手方向に波形状又は凹凸状を交互に配設してなることを特徴とする請求項１記載の電気発熱体。
【考案の詳細な説明】
【技術分野】
【０００１】
本考案は、電気調理器や電気暖房器、乾燥機等に用いられる電気発熱体に関するものである。
【背景技術】
【０００２】
従来、電気発熱体としては、碍子、耐熱ガラス管、絶縁耐熱パイプ等の非導電性の芯棒の外表面に導電性金属材料の線状又は帯状のテープ状ヒータを裸状態で巻回した構造の電気発熱体が特開平５−３６４７１号公報（特許文献１、図１参照）として存在する。
【先行技術文献】
【特許文献】
【０００３】
【特許文献１】特開平５−３６４７１号公報（図１参照）
【０００４】
以下、特許文献１の図１により従来の電気発熱体について説明する。
この特許文献１の電気発熱体。特に非導電性の芯棒の外表面に巻回するヒータは、テープ状であって、線状に比べて断線の恐れがほとんど無く、しかも芯棒の外表面にほとんど隙間なく螺旋状に巻回している構造である。
【考案の概要】
【考案が解決しようとする課題】
【０００５】
ところが、非導電性の芯棒の外表面に巻回するヒータは、細長い面全体を芯棒の外表面に沿って螺旋状に巻回している。このような構成によれば、ヒータの立ち上がりも早くなり、速熱性に優れてはいるが、芯棒の外表面にほとんど隙間なく螺旋状に巻回されているために、電源をオフしても温度低下が異常に遅く、冷め難いという問題点があった。
【課題を解決するための手段】
【０００６】
非導電性材料の円柱状芯棒２の外表面に導電性金属材料で長さＬと幅Ｈと厚みＭとを有した帯状ヒータ３を巻回してなる電気発熱体１に於いて、上記帯状ヒータ３は、厚みＭ側を円柱状芯棒２の外表面に当接しつつ幅Ｈ側を立設させ、螺旋状に間隔を隔てて巻回してなる構成としている。又、帯状ヒータ３は、その表裏面の長手方向に波形状又は凹凸状を交互に配設してなる構成としている。
【考案の効果】
【０００７】
本考案は、従来の問題点を解決したものであって、温度上昇の立ち上がりが早く、速熱性に優れ、しかも希望する一定の温度確保、維持にも安定的で、温度低下も早く、速冷性に優れ、確実に保持、固定できる電気発熱体を提供するにある。
【図面の簡単な説明】
【０００８】
【図１】本考案実施例の一部を切断した帯状ヒータの斜視図。
【図２】本考案実施例の帯状ヒータの一部を示す拡大斜視図。
【図３】本考案実施例の電気発熱体を示す斜視図。
【図４】本考案他実施例の電気発熱体のユニットを示す斜視図。
【考案を実施するための形態】
【０００９】
電気発熱体１は、非導電性材料の円柱状芯棒２と、この円柱状芯棒２の外表面に螺旋状に巻回される導電性金属材料で長さＬと幅Ｈと厚みＭとを有した帯状ヒータ３とから構成されている。
【００１０】
非導電性材料の円柱状芯棒２は、石英管、耐熱ガラス管等の中空状又は中実状の絶縁耐熱棒に形成されている。
この円柱状芯棒２にあっては、特に帯状ヒータ３が巻き付けやすい形状であれば、横断面多角形状であってもよい。
【００１１】
帯状ヒータ３は、図1乃至図３に示すように、細長い板状であって、長手方向の長さＬと短手方向の幅Ｈと厚みＭとを有しており、この長手方向に沿って波形状に形成されている。又この帯状ヒータ３の波形状に変わって凹凸を交互に配設してなる凹凸状としてもよい。この波形状又は凹凸状とすることによって、厚みＭ側を円柱状芯棒２の外表面に当接することが極めて容易となっている。
【００１２】
この帯状ヒータ３は、図３に示すように、円柱状芯棒２の外表面に一方の厚みＭ側を当接しつつ、幅Ｈ側を立てながらその状態で順次所定の間隔を隔てて螺旋状に巻回している。この幅Ｈ側を立てながら螺旋状に巻回することによって、幅Ｈ側がフィンの働きを有することとなり、電源をオフ後の放熱を加速させることができる。
【００１３】
この厚みＭ側を当接しつつ、幅Ｈ側を立てながら螺旋状に巻回する帯状ヒータ３では、所定の温度に達するまてに要する時間が通常の螺旋状に巻回した線ヒータに比べて約３０パーセント程度早くなることが判明している。
又、電源をオフして通常温度に戻すまでの時間も上記線ヒータに比べて約３０パーセント程度早くなることが判明している。
【００１４】
次に、電気発熱体１を箱型ユニット４にセットした状態を図４に示している。
この箱型ユニット４には、図４に示すように、複数本の電気発熱体１が並設してセットされており、一本の帯状ヒータ３が複数本の円柱状芯棒２に螺旋状に巻回されている。この各電気発熱体１に巻回される帯状ヒータの巻く回数は、並設された複数本の電気発熱体の全てが同じ巻く回数とは限らず、中央に近いほど巻く回数を減らして、箱型ユニット４の表面全体が均一に加熱又は放熱されるようにしてもよい。
【符号の説明】
【００１５】
１…電気発熱体
２…円柱状芯棒
３…帯状ヒータ
４…箱型ユニット
【図１】
0003179901.tif 000003
【図２】
0003179901.tif 000004
【図３】
0003179901.tif 000005
【図４】
0003179901.tif 000006
(57)【要約】      （修正有）【課題】剥離刃に補強を加え、その耐用期間を大幅に増大させた剥離刃を提供する。【解決手段】方形のステンレス刃板１の一側を同一幅の支板２の先端側に挟着固定し、支板２の基端側に柄杆５の一端を溶接し、柄杆５及び支板２の一部にステンレス管６を嵌装し、該ステンレス管６と支板２及び柄杆５との間に、ゴム片を緊密に介装し、前記支板２及び柄杆５と、ステンレス管６とをボルトで固定して剥離刃１０を構成した。【選択図】図１
0003179903.tif 000002
【実用新案登録請求の範囲】
【請求項１】
支板の先端側に刃板を連設すると共に、支板の基端側に柄杆を連設し、前記柄杆の連設部及び柄杆に鋼管を嵌装固定し、鋼管と柄杆との間にゴム片を充填したことを特徴とする剥離刃。
【請求項２】
刃板は、支板に押さえ板と、ボルトとにより着脱自在に固定したことを特徴とする請求項１記載の剥離刃。
【請求項３】
柄杆の基部は、支板に溶接固定され、鋼管は支板及び柄杆にボルトにより固定されたことを特徴とする請求項１記載の剥離刃。
【考案の詳細な説明】
【技術分野】
【０００１】
この考案は、家畜飼育室などの床面に付着した糞などを剥がす時に、掃除機に装着して使用する剥離刃に関する。
【背景技術】
【０００２】
従来、豚房掃除機の刃部の支持杆に剥離刃の柄部を連結し、床面などに付着した糞などを効率よく除去する道具として使用しているが、清掃形態によって使用器具を異にするので、掃除機の支持杆に剥離刃の柄部を着脱自在としている。
【０００３】
前記剥離刃に振動を付与した方が剥離を円滑に行うことができるので、前記剥離刃の多くは高周波振動を生じる振動機に連結している。
【先行技術文献】
【特許文献】
【０００４】
【特許文献１】実用新案登録第３００８１７５号公報
【考案の概要】
【考案が解決しようとする課題】
【０００５】
従来知られている剥離刃は、刃部と支持部よりなり、支持部の先端側へ刃部をボルトで固定すると共に、支持部の基端側へ棒状の柄杆の一端を溶接固着していた（特許文献１）。
【０００６】
然しながら、剥離刃を振動させるので、長期の使用に際し、刃部と柄部との固定部に亀裂を生じるおそれがあり、補強しなければ折損のおそれもあった。
【課題を解決するための手段】
【０００７】
この考案は、剥離刃と棒状の柄杆との溶接部の外側へ鋼管を嵌装固定すると共に、前記剥離刃と鋼管との間へゴムを緊詰し、前記問題点を解決したものである。
【０００８】
前記剥離刃は、例えば毎分２７００回くらい振動するので、取付け部は金属疲労を生じ、短期（３か月位）に破損するおそれがあったが、この考案によって使用年限を大幅に延長させることが可能となった。
【考案の効果】
【０００９】
この考案によれば、柄杆の連設及び柄杆を鋼管で補強したので、使用年限が３倍以上になったことが認められた。例えば、従来の剥離刃は、ほぼ３カ月で交換する必要があったが、この考案によれば、１０カ月〜１２カ月の連続使用が可能となった。
【図面の簡単な説明】
【００１０】
【図１】（ａ）この考案の実施例の平面図、（ｂ）同じく正面図。
【図２】同じくＡ−Ａ断面図。
【考案を実施するための形態】
【００１１】
この考案は、方形のステンレス刃板の一側を同一幅の支板の先端側に挟着固定し、支板の基端側に柄杆の一端を溶接し、柄杆及び支板の一部にステンレス管を嵌装し、該ステンレス管と支板及び柄杆との間に、ゴム片を緊密に介装し、前記支板及び柄杆と、ステンレス管とをボルトで固定して剥離刃を構成した。
【００１２】
前記のように、刃板と支板とはボルトと押さえ板で挟着固定され、ステンレス管はボルトで支板と柄杆に固定されている。そこで、刃板の振動は柄杆から直接伝達されるが、ステンレス管にはゴムを介して伝達され、ステンレス管に無理な力がかかるおそれがなく、確実に保持される（補強部が破損するおそれはない）。
【実施例１】
【００１３】
この考案の実施例を、添付図面を参照して説明する。矩形の刃板１の基端側を支板２の先端側に当接し、刃板１に押さえ板３を当接して、押さえ板３と刃板１の基端側と支板２の先端側とをボルト４、４、ナット４ａ、４ａで固定する。
【００１４】
支板２の基端側は台形２ａに形成し、台形２ａの中央部へ柄杆５の先端側５ａを溶接固定する。柄杆５の先端側５ａの中央部に溝５ｂを設け、溝５ｂに支板２の端部を挿入し、挿入部を溶接固定する。このようにして、柄杆５の中心と支板２の中心を一致させる。
【００１５】
支板２及び柄杆５へステンレス管６の溝６ａを嵌装し、ステンレス管６と支板２及び柄杆５を固定ボルト９、９とナット８、８で固定すればこの考案の剥離刃１０が完成する。図中７は止板である。
【００１６】
前記において、刃板１は必要に応じて取り換えることができる。またステンレス管６は、既使用の剥離刃にも取り付けることができるので、使用中の剥離刃を改善することができる。
【符号の説明】
【００１７】
１  刃板
２  支板
３  押さえ板
５  柄杆
６  ステンレス管
１０  剥離刃
【図１】
0003179903.tif 000003
【図２】
0003179903.tif 000004
(57)【要約】      （修正有）【課題】簡単に折鶴を連結して、千羽鶴を作ることができる折鶴ストラップを提供する。【解決手段】本体上部にカニカンが取り付けられると共に、本体下部にカニカンのフック部分を取り付け可能な穴を備える。【選択図】図１
0003179972.tif 000002
【実用新案登録請求の範囲】
【請求項１】
色々なサイズのシリコン製の折鶴を連結する為に下部にフックを取り付けるための穴をつける
【請求項２】
折鶴下部にカニカンのフックを取り付けて好きなだけ連携出来る
【考案の詳細な説明】
【技術分野】
【０００１】
本考案はシリコン製の折鶴を千羽鶴の様に連結するための加工に関する。
【考案の概要】
【考案が解決しようとする課題】
【０００２】
今まで日本古来の折り紙で作る折鶴を繋げて千羽鶴を作るという習慣があったが、同じ大きさの折鶴しか使用出来ず、一つずつ折鶴を折り紙で折らなければならなかった。
【課題を解決するための手段】
【０００３】
折鶴をシリコンで作成してその下部に連結部分の穴を作成する。フックをその連結部分に取り付ける
【考案の効果】
【０００４】
シリコン製の折鶴を使用することにより多種多様のサイズや色の折鶴を使用して好きな長さの千羽鶴を作る事が出来る。また一個ずつ折鶴を折る必要も無く誰でも間単に連結出来る。また再度個別の折鶴に戻したい場合も連結部分からはずしてストラップを取り付けて使用出来る。
【図面の簡単な説明】
【０００５】
【図１】ストラップの取り外しによる折鶴の連結機能の説明。折鶴下部への連結。  折鶴下部への取り付け。
【考案を実施するための形態】
【０００６】
個別の折鶴にカニカンを取り付け、そのカニカンのフック部分にリング付きのストラップを取り付ける。そのリングを取り外すとフック部分のみ折鶴本体に残る。カニカンのフックを別の折鶴の下部に取り付けることにより、連結出来る。また連結しなくても個別にストラップとして一個ずつ使用も可能である。
【実施例】
【０００７】
販売する際に顧客により一つずつ好きな種類の折鶴を選んでもらい自分の好きな長さ、組み合わせの千羽鶴を完成させる。また別の顧客と交換したりする事により、該当商品の付加価値を高める事が出来る。
【符号の説明】
【０００８】
１、カニカン部分をシリコン製折鶴の下部に取り付けて好きな組み合わせで連結出来る。  ２、ストラップ部分が自由に取り外す事も、付け直して一個のストラップとしても使える。
【図１】
0003179972.tif 000003
【手続補正書】
【提出日】平成24年9月20日(2012.9.20)
【手続補正１】
【補正対象書類名】実用新案登録請求の範囲
【補正対象項目名】全文
【補正方法】変更
【補正の内容】
【実用新案登録請求の範囲】
【請求項１】
本体上部にカニカンが取り付けられると共に、本体下部にカニカンのフック
部分を取り付け可能な穴を備えたシリコン製折鶴ストラップ
(57)【要約】      （修正有）【課題】垂直から左、右略４５°に開いた荷台に荷物を受け、該荷台から垂直下方に運搬用車輪を設け、荷台のどちらか一方にハンドルを設ける事により、荷台寸法の２〜３倍の荷物でも安定的に運搬可能とする簡易カートを提供する。【解決手段】垂直より角度θ１、（略４５°）左に傾斜する荷台１と、角度θ２（略４５°）右に傾斜する荷台２が回転軸１０により回動自在に係合され、前記荷台１には車輪３が、荷台２には車輪４が少なくとも合計３個回転自在に係止されており、荷台１、２のいずれかにハンドル５が係止されている基本構造により構成される。荷物９の荷重Ｗは概略前記回転軸１０に向かって負荷されるので、荷物９は左右方向の力が加わっても左右にずれる事無く、極めて安定的に荷台に載置される。【選択図】図１
0003179977.tif 000002
【実用新案登録請求の範囲】
【請求項１】
垂直より左右略４５°に傾斜した左、右荷台がその交叉部の回転軸にて回動自在に係合され、該左右荷台に合計３個以上の車軸が係止され、該左右荷台のいずれか一方に運搬の為のハンドルが係止された簡易カート。
【考案の詳細な説明】
【技術分野】
【０００１】  本考案は、買物袋に収納できる程コンパクトで安価で、かつ５０ｋｇ程の重量荷物を運搬できるカートに関する。
【背景儀技術】
【０００２】  水平荷台を複数個のキャスターで支え、水平荷台の片側に垂直なハンドルが設けられたカートが広く利用され、収納コンパクト化のために水平荷台やキャスターやハンドルが折りたたみ可能とするのが従来技術であった。
【考案の概要】
【考案が解決しようとする課題】
【０００３】  しかしながら、水平荷台に荷物を安定的に載置するためには、荷台の縦、横寸法のいずれかは荷物の縦横寸法以上の寸法が必要であり、荷物を１８Ｌ入り灯油缶や、１Ｌペットボトル１ダース入りダンボール箱を想定すると荷台の縦、横寸法のいずれかは４０ｃｍ以上の物が必要であった。
従って、個人ユーザーが携帯するには抵抗があり、価格的にも高価で、個人ユーザー向け販売が伸びていなかった。
【課題を解決するための手段】
【０００４】  本考案は、垂直から左、右略４５°に開いた荷台に荷物を受け、該荷台から垂直下方に運搬用車輪を設け、荷台のどちらか一方にハンドルを設ける事により、荷台寸法の２〜３倍の荷物でも安定的に運搬可能とし、上記課題を解決するものである。
【考案の効果】
【０００５】  本考案に係る簡易カートは、縦、横寸法が４０ｃｍ以上の荷物を運搬するカートでも、左、右荷台、車輪、ハンドルを折りたためば縦×横×高を２０ｃｍ×１５ｃｍ×６ｃｍ程度となり、極めて使い勝手が良く、かつほとんどの部材を樹脂製にすれば量産性に優れた安価なカートとなる。
【図面の簡単な説明】
【０００６】
【図１】本考案に係る基本構造の原理図である。
【図２】本考案に係る実施例の側面図である。
【図３】本考案に係る実施例の背面図である。
【図４】本考案に係る実施例の折りたたみ図である。
【考案を実施するための形態】
【０００７】  図１に示す様に、本考案は垂直より角度θ１、（略４５°）左に傾斜する荷台１と、角度θ２（略４５°）右に傾斜する荷台２が回転軸１０により回動自在に係合され、前記荷台１には車輪１が、荷台２には車輪２が少なくとも合計３個回転自在に係止されており、荷台１、２のいずれかにハンドル５が係止されている基本構造により構成される。荷物９の荷重Ｗは概略前記回転軸１０に向かって」負荷されるので、荷物９は左右方向の力が加わっても左右にずれる事無く、極めて安定的に荷台に載置される。
また  前記荷重Ｗの荷台１，２が受ける分荷重Ｗ１、Ｗ２はそれぞれ車輪１、２の回転軸１０に対して前記角度θ１、θ２を大きくする力Ａ１、Ａ２と回転軸１０の方向の力Ｂ１、Ｂ２に分かれるが、Ｂ１、Ｂ２は互いに相殺され、Ａ１＋Ａ２＜Ｗにより前記角度θ１、θ２は荷物９が載置されている場合は略４５°より大きくならないが、荷物９が載置されていない場合、ハンドル５にかかる人力によってＡ１、Ａ２に相当する力が加わると、角度θ１、θ２が略４５°より大きくなるので、荷台１、２の肉１１、１２が当接する構造により角度θ１、θ２は略０°まで小さく（収納時）できるが、略４５°より大きくならず、荷物９を容易に載置出来る。
また荷台延長方向に係止されたハンドルは荷物載置の障害にならないばかりか、荷物荷重の偏りを支える事も出来る。
【０００８】  図２、図３は荷台、車輪、ハンドルを折りたたみ収納出きる様にした本考案実施例を示す。
【０００９】図４は、本考案実施例を実際に折りたたみ、買物袋等に収納して携帯できるコンパクトにした概略図を示す。
【符号の説明】
【００１０】  １      左荷台
２      右荷台
３      左荷台用車輪
４      右荷台用車輪
５〜８  ハンドル
９      荷物
１０    回転軸
１１    左荷台の肉
１２    右荷台の肉
θ１    左荷台の開き角度
θ２    右荷台の開き角度
Ｗ      荷物の荷重
Ｗ１    左荷台にかかる分荷重
Ｗ２    右荷台にかかる分荷重
Ａ１    Ｗ１の分力
Ｂ１    Ｗ１の分力
Ａ２    Ｗ２の分力
Ｂ２    Ｗ２の分力
【図１】
0003179977.tif 000003
【図２】
0003179977.tif 000004
【図３】
0003179977.tif 000005
【図４】
0003179977.tif 000006
(57)【要約】      （修正有）【課題】プリーツスカートや袴のアイロンがけの際に、すでに形成した折り目を維持し、崩れにくくする当て布を提供する。【解決手段】裏面に粘着剤部分を設け、粘着剤部を折り目に固定することによって、プリーツや折り目を形成しやすく崩れにくくする当て布。【選択図】図１
0003179979.tif 000002
【実用新案登録請求の範囲】
【請求項１】
長方形の当て布の裏面に粘着剤部を設けた粘着剤付き当て布。
【考案の詳細な説明】
【技術分野】
【０００１】  本考案は、プリーツスカートや道着の袴のアイロンがけに関するものである。
【背景技術】
【０００２】  プリーツやタックなど、ひだ状の着衣のアイロンがけは、折り目が不揃いになり手間がかかった。また、公報のアルミ板本体に装着したスライド式ストッパーにより本体を固定する構造の補助具が知られている。（特許文献１）
【先行技術文献】
【特許文献】
【０００３】
【特許文献１】登録実用新案第３１１７８９８号公報
【考案の概要】
【考案が解決しようとする課題】
【０００４】  上記考案では、すでに形成した折り目の維持が難しい。
【課題を解決するための手段】
【０００５】  当て布の裏面に粘着剤部分を設け、アイロンで形成した折り目を固定することができる。
粘着剤付き当て布である。
【考案の効果】
【０００６】  プリーツスカートや袴のアイロンがけは、折り目が不揃いになり、形成した折り目が維持できないという難しさがあった。
本考案では、折り目のアイロンがけを迅速かつ簡単にすることができる。
【図面の簡単な説明】
【０００７】
【図１】本考案の斜視図
【図２】本考案の使用状態を示す斜視図
【図３】本考案のその他の実施例を示す斜視図
【考案を実施するための形態】
【０００８】  以下、本考案の実施の形態を説明する。
（イ）  長方形状の当て布（１）で、片面に粘着剤部（２）を設ける
（ロ）  アイロンの効率を得るための、１つまたは複数の貫通穴（３）を設ける。
本考案は以上のような構造である。
本考案を使用するときは、プリーツの折り目をたたみ、その上に当て布（１）の粘着剤部（２）を貼りつけアイロンをかける
【符号の説明】
【０００９】  １当て布、２粘着剤部、３貫通穴
【図１】
0003179979.tif 000003
【図２】
0003179979.tif 000004
【図３】
0003179979.tif 000005
(57)【要約】      （修正有）【課題】具材を鍋より杓子で掬い取り皿に盛り付ける場合、杓子から垂れ落ちる具材が皿の縁に落ちるのを防止する具垂れ防止具を提供する。【解決手段】本体１の下側一端にコ字状金具を固着し、このコ字状金具を設けた本体１を鍋２の一端に設置して、杓子で掬い取った具材が垂れ落ちても、本体１の上面に落ちるので皿の縁に落ちることはない。【選択図】図１
0003179992.tif 000002
【実用新案登録請求の範囲】
【請求項１】
本体の長方向の両端を上方に曲げ、本体の下側一端に短片と長片を有するコ字状金具の底部を固着したものを鍋の一端に設置して具垂れを防止するようにしたことを特徴とする具垂れ防止具。
【考案の詳細な説明】
【技術分野】
【０００１】  本考案は、鍋よりカレーライス、シチューなどの具材を皿に盛り付ける際の具垂れを防止する器具に関する。
【背景技術】
【０００２】  カレーライス他、色々調理した鍋の中の具材を、杓子を使って掬い取り皿に移す際、皿の縁に具や汁がポタポタ落ちているのが現状である。
【考案の概要】
【考案が解決しようとする課題】
【０００３】  本考案は、具材が皿の縁などに落ちるのを防止し、具財をきれいに皿などに盛り付けようとするものである。
【課題を解決するための手段】
【０００４】  本考案は、鍋などの縁に器具を設け、この器具で杓子から落ちる具や汁を受けるもので、器具の外端部下方に皿を持ってくれば、皿の縁に具などが垂れることはない。
【考案の効果】
【０００５】  鍋の縁に器具を取り付けることにより、皿の縁に具などが垂れるのを防止できる。又、学校給食、食堂、レストランなどにおいて、急いで何杯も皿に盛り付けるような場合でも、早くきれいに盛り付けることができる。
【図面の簡単な説明】
【０００６】
【図１】本考案の使用状態を示す斜視図である。
【図２】本考案の拡大斜視図である。
【図３】本考案を鍋に取り付けた部分的拡大断面図である。
【図４】本考案の他の実施例を示す部分的拡大断面図である。
【考案を実施するための形態】
【０００７】  長方形の本体の長方向の両端を上方に曲げ、本体の下側一端にコ字状金具を固着する。コ字状金具は外側を短く内側を長くする。
【実施例】
【０００８】  以下、添付図面に従って一実施例を説明する。図１及び図２において、１は本体、２は鍋である。本体１はアルミニウムなどの材質が適当と思われる。本体１は長方形で、長方向は１０〜１５ｃｍ位、短方向は７〜１０ｃｍ位、肉厚は１ｍｍ位が適当である。本体１の長方向の両端を４５度位上方に曲げる。これは、具などが両側に流れ落ちるのを防止するためのものである。【０００９】  図３は、本体１を鍋２に設置した拡大断面図であるが、本体１の下側一端に、コ字状金具３の底部４を固着する。固着方法は溶接あるいはビス止めなどによるものとする。コ字状金具３の外側に短片５を設け内側に長片６を設ける。試作による実寸法は、短片５が１ｃｍ位、長片６が３ｃｍ位、底部４の固着部分は１ｃｍ位が適当であった。又、コ字状金具３の幅は２〜３ｃｍ位が適当である。【００１０】  鍋２の内側にコ字状金具３の短片５が、外側に長片６がくるように設置し、本体１の上向き角度は３０度前後が適当と思われる。【００１１】  図４は、本考案の他の実施例を示したものである。縁が鍔のように張り出した大型の鍋２ａの場合は、本体１ａに固着するコ字状金具３ａの底部４ａを広くし、短片５ａ及び長片６ａもそれぞれ長くする必要がある。【００１２】  コ字状金具３、３ａの短片５、５ａ及び長片６、６ａは、強く力を加えれば角度が変わる位の材質、肉厚とする。こうすることにより、鍋２、２ａに本体１、１ａを設置した場合、本体１、１ａを適宜の角度にしたり、うまく固定できていない場合などは、短片５、５ａ及び長片６、６ａの角度を若干変えて、鍋２、２ａにうまく固定できるよう調整することができる。【００１３】  本考案の器具は、小さな鍋から大きな鍋まで設置可能ではあるが、鍋には色々な形状のものがあるので、本考案の器具が設置できない場合もある。【００１４】  本考案の実施例は、鍋２、２ａに本体１、１ａを設置して、杓子で具材を掬い皿に盛り付ける。その場合杓子の具材部分が本体１、１ａの上を通るようにし、垂れ落ちた具材は本体１、１ａに落ちるようにする。本体１、１ａの外端部下方に、ごはんなどを盛った皿を移動させ、具材を皿に注げば皿の縁に具材が垂れることはない。
【符号の説明】
【００１５】１、１ａ  本体
２、２ａ  鍋
３、３ａ  コ字状金具
４、４ａ  底部
５、５ａ  短片
６、６ａ  長片
【図１】
0003179992.tif 000003
【図２】
0003179992.tif 000004
【図３】
0003179992.tif 000005
【図４】
0003179992.tif 000006
(57)【要約】      （修正有）【課題】タイヤのパンクを運転者に早く知らせる装置を提供する。【解決手段】ケーシングの中に２つのマグネットが常に反発した状態にあり、パンクの時タイヤ側の虫をＴ型接触弁のロッドが押し、タイヤの空気圧が減少し、虫を圧着する力がなくなり、虫は開放される。発信機と蓄電池は間隔を置いていたのが移動し接触する。同時にロッドが虫を押すので、完全に開放される。この時、発信機と蓄電器は接触し、通電し、発信機から外の運転者の受信機に知らせる。【選択図】図１
0003179996.tif 000002
【実用新案登録請求の範囲】
【請求項１】
ケーシングの内部に２つのマグネットが互いに反発するように並びＴ型接触弁を設け、そのロッドが伸びタイヤ側の虫に届いたもので、蓄電池と発信器は普段は間隔をおいているが、パンクの時はロッドが前に進み、蓄電池と発信機が接触することを特徴とする自動車のパンクを運転者に知らせる装置。
【考案の詳細な説明】
【技術分野】
【０００１】  本考案は自動車のパンクを運転者に知らせる装置に関する。
【背景技術】
【０００２】  自動車がパンクした時、運転者が早く知らないと、タイヤが破損する等、種々な問題が生じる。
【考案の概要】
【考案が解決しようとする課題】
【０００３】  本考案は２つの磁石の反発力により常時蓄電池を押し、パンクする時に蓄電池と発信機が接触し、通電し運転者に知らせる。
【課題を解決するための手段】
【０００４】  ケーシングの内部に２つのマグネットが互いに反発する様に並び、Ｔ型接触弁を設け、そのロッドが伸びタイヤ側の虫に届いたもので蓄電池と発信機は普段は間隔をおいているがパンクの時はロッドが前に進み、該蓄電池と該発信機が接触することを特徴とする、自動車のパンクを運転者に知らせる装置である。
【考案の効果】
【０００５】  パンクを運転者に早く知らせることにより運転者が早くパンクに対し対処でき、又種々の不都合も防げる。
【図面の簡単な説明】
【０００６】
【図１】図１は断面図である。
【考案を実施するための形態】
【０００７】  ２つのマグネットが互い反発し並置されてありパンクの時はマグネットがＴ型接触弁を押し蓄電池が押され発信機に接触し、発電し運転者にパンクを知らせる。パンクの時はタイヤ側の虫をパンクによりタイヤの空気圧が減り、開放する。するとＴ型接触弁により蓄電池が押され発信機と接触し、運転者につながる受信機に知らせる。即ちＡが接触面である。
【実施例】
【０００８】  ケーシングの内部に２つのマグネット２・３が同極で並置されていて、マグネット互いに反発している。
４はＴ型接触弁で、５は蓄電池、６は発信機である。【０００９】  蓄電池と発信機は普段は間隔を置いているが、非常時はＴ型接触弁４に押され、両者は接触して通電し発信機が運転者にパンクを知らせる。
７は壁でありストッパーとなる。タイヤ側には虫８がありタイヤ内の空気圧で、いつもは閉じているが非常時にはタイヤの気圧が減じ、開放する。
９は発信機と蓄電池の衝突を緩げるスプリング、１０はキャップであり、１１は日に２〜３回押して確認する、接触チェックである。１２は電磁を避けてする電磁圧である。
１３はＴ型接触部のロッドであり、パンクの際はタイヤ側の虫を押す。【００１０】    即ち、検知機はタイヤ側の虫の頭に対して、検知機のＴ型接触部から左側に絶えず押す力が働いており、パンクの時は力が無くなりマグネットの反発力により蓄電池から発信機、受信機を通じて運転者に知らせる。図中１４は装置の受信機を示す。１５はロッドと虫の接点部である。【００１２】  検知機本体を締め込む時はロック・タイト等を使って締め込む。キャップを締め込む時は、座金等を調整し締め込み、締め込み中心が鳴ったら止て、キャップを半回転戻してロックし、最後に機能チェック弁の頭を軽く２〜３回押してベルが働いているかを確める。
又、１日１回は検知機の頭を軽く２〜３回押して機能チェックする。【００１３】  この検知器は、トラック及びバス等のタイヤの注入口にネジ込んで直接取り付ける。検知器本体の長さは大体７ｃｍから８ｃｍで径にして１ｃｍから１．２ｃｍ位であり、発信器及び蓄電池からの信号は車体下部に取り付けてある受信器で受信し、運転者に知らせる。即ち、検知器はタイヤの回転と一緒に回転する。【００１４】  人間の中指程のゴム製のカバーを本体にかぶせ雨水から保護する。カバーをかぶせた状態でも機能チェックができる。
【符号の説明】
【００１５】１．ケーシング
２．３．マグネット
４．Ｔ型接触弁
５．蓄電池
６．発信機
７．壁
８．タイヤ側の虫
９．スプリング
１０．キャップ
１１．機能チェック弁
１２．電磁遮断圧紙
１３．ロッド
１４．受信機
１５．接点部
Ａ．接触面
【図１】
0003179996.tif 000003
(57)【要約】      （修正有）【課題】ソーラーパネルを後付できるよう住宅新築段階でアンカーをあらかじめ設けて置くための、ソーラーパネル取付用アンカーを提供する。【解決手段】木造軸組住宅の新築工事の最中に垂木、野地板、防水シート１２などの屋根下地及び瓦１４を貫通するソーラーパネル支持架台固定用アンカー６を垂木１０の下面側から取り付ける。該アンカーの鋼製プレート中央部から立ち上がる丸鋼の概ね上半分にはソーラーパネル支持架台を一対のナットで固定するためのネジ加工が施されている。さらに、ソーラーパネル設置まで該ネジ部を被膜するために、ポリ製キャップ８を該アンカーのネジ加工部にかぶせる。【選択図】図３
0003179995.tif 000002
【実用新案登録請求の範囲】
【請求項１】
木造軸組住宅にソーラーパネル支持架台を固定するためのアンカーであって、ネジ止めのための二箇所の孔が開けられた概ね長方形の鋼製プレートの中央に溶接代だけ貫通して溶接された半ネジ加工が施された丸鋼を有する建築金物。
【考案の詳細な説明】
【技術分野】
【０００１】  本考案は、木造軸組住宅の屋根に設置するソーラーパネルを取り付けるための金物の特にソーラーパネル後付型の金物に関する。
【背景技術】
【０００２】  従前、既存の住宅の屋根に太陽電池モジュール、所謂ソーラーパネルを設置しようとすれば結局、該パネルを支持する架台を固定するための金物を屋根の下地に取付けなければならない。該金物を屋根の下地に取り付ける方法としては該金物を取付ける箇所の瓦を剥がして例えば形状が該瓦に類似した金属製のプレート上に該金物を備えたものを長ネジを使って屋根の下地の野地板に固定したり、あるいは瓦を剥がした部分の野地板に直接該金物をネジ止めしてから該金物と剥がさなかった瓦との隙間を防水処理するなどしている。
【考案の概要】
【考案が解決しようとする課題】
【０００３】  上述のごとくソーラーパネルを後付けしようとすれば既存の瓦を剥がしたり和瓦、洋瓦など多種多様の瓦に類似した形状のパネル固定金物を用意したり、煩雑な防水処理をしたりと該金物を取り付けるためだけでもそのために要する時間と費用は決して少なくない。
その上、該金物を屋根の下地に取付けるに際しても固定用のネジが偶然薄い野地板の下に組まれている垂木に当ればよいが、そうでなければ取付強度も充分とは言い難い。
【課題を解決するための手段】
【０００４】  本考案者は鋭意研究した結果、住宅新築の段階で先行して本考案によるソーラーパネル設置用アンカーを取付けておけば極めて合理的であるという結論に達した。
即ち、エコあるいは化石燃料の枯渇といった諸問題に遭遇する中、太陽光発電など自然エネルギー利用の流れは一段と加速することが避けられないと思われるが、一方で新築住宅購入時に同時に高価なソーラーパネルを設置するには予算が足りないとか、あるいは電気製品がおしなべて時とともに安くなることなどから後日、適当な時期に設置すればよいと考える人にとってはとりあえずソーラーパネル設置用アンカーだけでも備え付けてある新築住宅は非常に魅力的であると思われる。また該アンカーは建築中に取り付けるので該アンカーをその取付強度と防水効果において最も効果的な位置に設置できるのである。【０００５】  以下、本考案を図に従い、詳しく説明する。図１は本考案によるソーラーパネル支持架台固定用アンカーのイメージ図である。ここで符号１はソーラーパネル支持架台を固定するためのネジ加工部、符号２は垂木、野地板及びルーフィングに開けた貫通孔に緩みなく納まる部分である。符号３は垂木の底面に接する鋼製プレート部分で該プレートにはネジ孔４が開けてあり、この孔を垂木にネジ止めすることで該金物の取付強度は前述の従前の方法に比べて飛躍的に増大する。
図２は該金物の側面図であり、ここで符号５は半ネジ加工丸鋼とプレート３との溶接部である。ネジ加工部１の長さは野地板から瓦を貫通してソーラーパネル支持架台をナットで固定するに足る長さを有している。また符合２の部分の長さは垂木と野地板の厚さを合計した長さを有している。
図３は本考案によるアンカー６を屋根の下地に取付けた状態の断面図であり、ここで符号７はアンカーを垂木に固定するためのネジ、符号８は将来的にソーラーパネルを設置するまでの間、ネジ部が外気で錆びることがない様被せておくポリ製のキャップ、符号９は止水のコーキング、符号１０は屋根下地の垂木、符号１１は同じく野地板、符号１２は防水シート、符号１３は瓦桟、符号１４はアンカー６のネジ加工部が貫通する孔を有する瓦である。
図４は防錆キャップ８を外してパネル支持架台１５をアンカー６に取り付けた状態の断面図である。ここで符号１６はパネル支持架台１５を所定の高さに固定するためのナットである。また符合１７は軒先と平行に配されるパネル支持架台であり、該架台の上に既製の金具を用いてソーラーパネルが固定されている。
【考案の効果】
【０００６】  本考案によるソーラーパネル支持架台固定用アンカーは上述のごとく極めて簡単な構造でであり、したがってその製造コストが低いので安価で市場に提供できる。また従前の後付型のように既存の瓦を剥がして後の煩雑な防水処理の必要もなく、既存の瓦に代わる防水部材も必要ないのでこれらの費用もかからない。
加えて該アンカーは屋根下地の垂木に確実に固定されるのでソーラーパネル支持架台の固定力を飛躍的に増大せしめるのである。
【図面の簡単な説明】
【０００７】
【図１】  本考案によるアンカーのイメージ図である。
【図２】  本考案によるアンカーの側面図である。
【図３】  本考案によるアンカーの取付け断面図である。
【図４】  本考案によるアンカーにパネル支持架台を取り付けた断面図である。
【考案を実施するための形態】
【０００８】  本考案によるソーラーパネル支持架台固定用アンカーは木造軸組住宅の新築工事中において屋根下地の垂木、野地板、防水シートおよび瓦を貫通して垂木に固定される。外気に接するネジ加工部は新築後、ソーラーパネルを取り付けの日までポリ製キャップで保護される。
【産業上の利用可能性】
【０００９】  本考案によるソーラーパネル支持架台固定用アンカーは製造コストが安く、また新築工事中に極めて容易に且つ強固に取り付けられ、従前の後付型におけるような高価なソーラーパネル支持架台固定用部材や該部材の煩雑な取付工事がない一方、世論のエコ意識の向上に伴う再生可能エネルギー推進の流れを鑑みるとき本考案品は産業上極めて利用価値が高いと考えられる。
【符号の説明】
【００１０】  １，  ネジ加工部
２，  屋根下地材との嵌合部
３，  鋼製プレート
４，  ネジ孔
５，  溶接部
６，  本考案によるアンカー
７，  アンカー固定ネジ
８，  ポリ製キャップ
９，  止水コーキング
１０，垂木
１１，野地板
１２，防水シート
１３，瓦桟
１４，瓦
１５，パネル支持架台
１６，架台固定用ナット
１７，軒先と平行なパネル支持架台
【図１】
0003179995.tif 000003
【図２】
0003179995.tif 000004
【図３】
0003179995.tif 000005
【図４】
0003179995.tif 000006
(57)【要約】      （修正有）【課題】自動車の窓ガラス外側へ簡易に設置でき、飛散しにくい薄く柔軟で重さを持たせた霜付着防止具を提供する。【解決手段】空気を隔てる樹脂製チャック付袋１の上部に、マグネットシート３を設けたもので、樹脂製チャック付袋１の内部におもりとなる新聞紙４を３０〜５０枚程度入れて使用する。【選択図】図１
0003179999.tif 000002
【実用新案登録請求の範囲】
【請求項１】
空気を隔てる樹脂製チャック付袋の上端部に、自動車の天井スチール板に付け、設置するためのマグネットシートを設けたもので、樹脂製チャック付袋の内部におもりとなる新聞紙等を入れ、自動車の窓ガラス外側を覆って使用する日除け及び霜付着防止具。
【考案の詳細な説明】
【０００１】本考案は、自動車の窓ガラス等に覆って使用する日除け及び霜付着防止具である。
【技術背景】
【０００２】従来、自動車の窓ガラス外側を覆う日除け、霜付着防止には、毛布や濡れタオルで覆っていた。
【考案の開示】
【考案が解決しようとする課題】
【０００３】自動車の窓ガラスの外側へ簡易に設置でき、飛散しにくい商品が無く家庭にある毛布やタオルを使用しているが雨で濡れたり、水を含ますなどの手間が必要となるため不便である。
又、マグネットシートは、横への滑りに対しては強度が高く、上への剥がれに対しては強度が低い特性があるため、車体に密着させ、風の影響を受けにくくさせるため、薄く柔軟で重さを持たせなければならない。
【課題を解決するための手段】
【０００４】空気を隔てる樹脂製チャック付袋の上部にマグネットシートを設けたもので、袋の内部におもりとなる新聞紙等を入れて使用する日除け及び霜付着防止具を考案した。
この日除け及び霜付着防止具は、薄く柔軟で重さを持たせることが出来るので、自動車の窓ガラス外部に置くだけで飛散しにくくなる。
【考案の効果】
【０００５】よって、この自動車の窓ガラス日除け及び霜付着防止具により、置くだけで簡単に設置でき、構造が簡素で、おもりに不要となった新聞紙等を使うことができるので、低価格である。
樹脂製チャック付袋内部の空気を抜き減少させることで、車体への密着性が増す。
【考案を実施するための最良の形態】
【０００６】本考案に係る自動車の窓ガラス日除け及び霜付着防止具は、空気を隔てる樹脂製チャック付袋▲１▼（９０ｃｍ×６０ｃｍ程度）の上部にマグネットシート▲３▼を設けたもので、樹脂製チャック付袋の内部におもりとなる新聞紙▲４▼を３０〜５０枚程度入れて使用する。
【図面の簡単な説明】
【０００７】
【図１】本考案に係る自動車の窓ガラス日除け及び霜付着防止具を示した平面図
【符号の説明】
【０００８】▲１▼        チャック付袋
▲２▼        チャック
▲３▼        マグネットシート
▲４▼        新聞紙
【図１】
0003179999.tif 000003